(57)【要約】【課題】  ファイル名等の属性情報が同一であるデータから所望のデータを識別するためには、ユーザが実際に各データの内容を確認しなければならず、負荷が大きかった。【解決手段】  それぞれ複数の属性情報を有する複数のデータを、属性情報と共にリスト形式で表示する情報処理装置において、複数のデータの並びを決定するための第１属性情報６０１を選択する第１選択手段を有する。そして、複数のデータの内、識別表示すべきデータか否かを決定するための比較条件としての第２属性情報６０３を選択する第２選択手段を有する。更に第１属性情報が同じデータ同士を隣り合うようにリスト表示し、かつ、同じ第１属性情報を備えたデータ群の中で、第２属性情報が少数派のデータ６０７、６０８については、他の多数派のデータと識別可能に表示する表示手段を備えることを特徴とする。【選択図】  図６
2008299816.tif 000002
【特許請求の範囲】
【請求項１】
それぞれ複数の属性情報を有する複数のデータを、前記属性情報と共にリスト形式で表示する情報処理装置において、
前記複数のデータの並びを決定するための第１属性情報を選択する第１選択手段と、
前記複数のデータの内、識別表示すべきデータか否かを決定するための比較条件としての第２属性情報を選択する第２選択手段と、
前記第１属性情報が同じデータ同士を隣り合うようにリスト表示し、かつ、同じ第１属性情報を備えたデータ群の中で、前記第２属性情報が少数派のデータについては、他の多数派のデータと異なる表示形態で表示する表示手段と、
を備えることを特徴とする情報処理装置。
【請求項２】
前記表示手段は、前記第２属性情報が少数派のデータについては、他の多数派のデータと、背景色、文字太さ、文字色、及びフォントの少なくとも何れか１つを変えて表示することを特徴とする請求項１に記載の情報処理装置。
【請求項３】
前記第２選択手段は、２つ以上の前記第２属性情報を選択することが可能であることを特徴とする請求項１に記載の情報処理装置。
【請求項４】
前記第１属性情報の異なるデータについては、背景色、文字太さ、文字色、及びフォントの少なくとも何れか１つを変えて表示することを特徴とする請求項１に記載の情報処理装置。
【請求項５】
前記第２属性情報を示す欄について、背景色、文字太さ、文字色、及びフォントの少なくとも何れか１つを変えて表示することを特徴とする請求項１に記載の情報処理装置。
【請求項６】
前記第２属性情報が同じデータの数が、あらかじめ定めた数以下の場合に、前記少数派のデータと判定することを特徴とする請求項１記載の情報処理装置。
【請求項７】
前記第１属性情報が同じデータ群の中で、前記第２属性情報が同じデータの割合が、あらかじめ定めた割合以下の場合に、前記少数派のデータと判定することを特徴とする請求項１記載の情報処理装置。
【請求項８】
前記第１属性情報が同じデータ群の中で、前記第１属性情報以外の全ての属性情報が他のデータと異なるデータについて、背景色、文字太さ、文字色、及びフォントの少なくとも何れか１つを変えて表示することを特徴とする請求項１に記載の情報処理装置。
【請求項９】
前記表示手段は、前記第２属性情報が同じデータのグループを、グループ毎に異なる表示形態で表示することを特徴とする請求項１に記載の情報処理装置。
【請求項１０】
それぞれ複数の属性情報を有する複数のデータを、前記属性情報と共にリスト形式で表示するデータ表示方法において、
前記複数のデータの並びを決定するための第１属性情報を選択する第１選択工程と、
前記複数のデータの内、識別表示すべきデータか否かを決定するための比較条件としての第２属性情報を選択する第２選択工程と、
前記第１属性情報が同じデータ同士を隣り合うようにリスト表示し、かつ、同じ第１属性情報を備えたデータ群の中で、前記第２属性情報が少数派のデータについては、他の多数派のデータと異なる表示形態で表示する表示工程と、
を含むことを特徴とするデータ表示方法。
【請求項１１】
それぞれ複数の属性情報を有する複数のデータを、前記属性情報と共にリスト形式で表示するデータ表示プログラムであって、
前記複数のデータの並びを決定するための第１属性情報を選択する第１選択工程と、
前記複数のデータの内、識別表示すべきデータか否かを決定するための比較条件としての第２属性情報を選択する第２選択工程と、
前記第１属性情報が同じデータ同士を隣り合うようにリスト表示し、かつ、同じ第１属性情報を備えたデータ群の中で、前記第２属性情報が少数派のデータについては、他の多数派のデータと識別可能に表示する表示工程と、
をコンピュータに実行させることを特徴とするデータ表示プログラム。
【発明の詳細な説明】
【技術分野】
【０００１】
本発明は、データ間の相違を視覚的にわかりやすく表示するための情報処理装置、データ表示方法及びデータ表示プログラムに関する。
【背景技術】
【０００２】
従来、特定のデータを視覚的にわかりやすくリスト表現するものとしては、特定部分の表示形態を変化させる方法が一般的であった。あらかじめキーワード等の条件を設定しておき、データ内にその条件に該当する部分がある場合には、該当部分の濃度を変化させることで強調するもの（特許文献１参照）や、データの種類を判別し、種類に応じた表示を行うもの（特許文献２参照）があった。
【０００３】
【特許文献１】特開平７−２８２０８６号公報
【特許文献２】特開２００６−５０５０７号公報
【発明の開示】
【発明が解決しようとする課題】
【０００４】
しかしながら、従来の表示方法では、単一データの内部情報に関する強調表示は実現しているが、データ間での相違点の強調表示は行えないという問題があった。例えば、Ｗｉｎｄｏｗｓ（登録商標）のエクスプローラにおける検索では、同名のファイルが複数件ヒットした場合、検索結果として該当する全ファイルのタイトルやファイルパス等が一覧表示されるが、ファイルの内容に関する情報は提示されない。そのため、ユーザは所望のファイルを見付けるために、実際に各ファイルの内容を確認しなければならず、ユーザにかかる負担が大きい。
【０００５】
図５に従来のリスト表示の例を示す。図５は、ファイル名に「○○旅行」を含むことを条件に検索をかけた場合の結果をソートしてリスト表示した例である。本例におけるキーとなる属性情報はファイル名を設定しており、ファイル名がリストの左端に表示されている（５０１）。例えば、家族旅行のビデオのオリジナルデータから作成者"私"がダイジェスト版を編集したとし、そのデータを見付け出したいとする。図５では「○○旅行−１日目−．ｍｐｇ」、「○○旅行−２日目−．ｍｐｇ」の２種類のファイルがそれぞれ４つずつヒットしているが、ファイル間での区別がつきにくいため、所望のファイルを簡単に選択することは困難である。
【０００６】
そこで、本発明ではデータ間での比較を行うことにより、ユーザに対してデータ間での相違点を視覚的にわかりやすく強調表示し、データの内容を確認することなくデータを識別可能とすることを目的とする。
【課題を解決するための手段】
【０００７】
上記目的を達成するため、本発明に係る装置は、
それぞれ複数の属性情報を有する複数のデータを、前記属性情報と共にリスト形式で表示する情報処理装置において、
前記複数のデータの並びを決定するための第１属性情報を選択する第１選択手段と、
前記複数のデータの内、識別表示すべきデータか否かを決定するための比較条件としての第２属性情報を選択する第２選択手段と、
前記第１属性情報が同じデータ同士を隣り合うようにリスト表示し、かつ、同じ第１属性情報を備えたデータ群の中で、前記第２属性情報が少数派のデータについては、他の多数派のデータと異なる表示形態で表示する表示手段と、
を備えることを特徴とする。
【０００８】
上記目的を達成するため、本発明に係る方法は、
それぞれ複数の属性情報を有する複数のデータを、前記属性情報と共にリスト形式で表示するデータ表示方法において、
前記複数のデータの並びを決定するための第１属性情報を選択する第１選択工程と、
前記複数のデータの内、識別表示すべきデータか否かを決定するための比較条件としての第２属性情報を選択する第２選択工程と、
前記第１属性情報が同じデータ同士を隣り合うようにリスト表示し、かつ、同じ第１属性情報を備えたデータ群の中で、前記第２属性情報が少数派のデータについては、他の多数派のデータと異なる表示形態で表示する表示工程と、
を含むことを特徴とする。
【０００９】
上記目的を達成するため、本発明に係るプログラムは、
それぞれ複数の属性情報を有する複数のデータを、前記属性情報と共にリスト形式で表示するデータ表示プログラムであって、
前記複数のデータの並びを決定するための第１属性情報を選択する第１選択工程と、
前記複数のデータの内、識別表示すべきデータか否かを決定するための比較条件としての第２属性情報を選択する第２選択工程と、
前記第１属性情報が同じデータ同士を隣り合うようにリスト表示し、かつ、同じ第１属性情報を備えたデータ群の中で、前記第２属性情報が少数派のデータについては、他の多数派のデータと識別可能に表示する表示工程と、
をコンピュータに実行させることを特徴とする。
【発明の効果】
【００１０】
本発明では、データ間の相違点を強調して表示することにより、ユーザが視覚的に容易にデータを識別することを可能とする。
【発明を実施するための最良の形態】
【００１１】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１２】
（一実施形態）
図１は、本発明に係る情報処理装置１００の第１実施形態の機能的構成を示す図である。図１において、条件入力部１０１は、複数のデータの並びを決定するための第１属性情報を選択する第１選択手段としての第１選択部１０１ａを含む。更に条件入力部１０１は、複数のデータの内、識別表示すべきデータか否かを決定するための比較条件としての第２属性情報を選択する第２選択手段としての第２選択部１０１ｂを含む。
【００１３】
図３は条件入力時のグラフィックインターフェースの一例を示す図である。この画面３０１では、左欄においてソートキーとなる第１属性情報をチェックし、左欄において比較条件としての第２属性情報を選択する。比較条件とする第２属性情報をチェックすることでその第２属性情報における相違点を強調してリストに表示させる。図３では、チェックボックス３０２において、検索キーとする第１属性情報として「ファイル名」を選択している。また、チェックボックス３０３において「再生時間」のみを比較条件（第２属性情報）として選択しているが、右欄で複数の属性情報をチェックしても構わない。複数をチェックした場合、それぞれの第２属性情報における相違点が強調されてリストに表示される。なお、図３の選択画面ではチェックボックスを用いて、ユーザに属性情報の選択を促しているが、本発明はこれに限定されるものではなく、リスト上の属性情報のクリックに応じて、ポップアップ形式で属性情報を選択させてもよい。
【００１４】
図１に戻ると、データ処理部１０２は条件入力部１０１で入力された条件を処理し、リストとして表示するための表示データを生成する。ここで、強調表示する部分や強調表示の形態を決定する。
【００１５】
データ格納部１０３はリストとして表示するデータ、及び属性情報名称を格納する。図４はデータ格納部１０３に格納するデータの格納例である。４０１はファイル名、４０２は再生時間、４０３はファイルサイズ、４０４は作成日時、４０５は作成者を表す。図８はデータ格納部１０３に格納する属性情報名称の格納例８０１である。
【００１６】
図１において、リスト表示部１０４はデータ処理部１０２で生成されたリスト情報を表示する。リスト表示部１０４は第１属性情報が同じデータ同士を隣り合うようにリスト形式で表示し、かつ、同じ第１属性情報を備えたデータ群の中で、第２属性情報が少数派のデータについては、他の多数派のデータと識別可能に表示する表示手段として機能する。
【００１７】
図２は、情報処理装置１００のハードウェア構成を示すブロック図である。図２において、中央処理装置２０１はコンピュータ装置２００全体を制御する。主記憶装置２０２は中央処理装置のワークエリアとして利用される。表示装置２０３はリスト表示部１０４におけるリスト表示を実現する。入力装置２０４は条件入力部１０１において、リスト表示する条件の入力を実現する。外部記憶装置２０５はリスト表示するデータを格納するデータ格納部１０３を実現する。
【００１８】
図６は、図３の画面で示したように、比較条件となる属性情報として「再生時間」を選択した場合の表示結果を示している。従来の表示例（図５）と比較すると、ここでは、キーとなる第１属性情報である「ファイル名」が同じグループについては同じ背景色とし、「ファイル名」が異なるグループは異なる背景色としている。また、再生時間６０３の項目（縦の列）のみ表示背景を変え、さらに同じファイル名のグループの中で、再生時間が特異なものを、フォント・文字太さを異なる値として他と識別しやすく表示している（６０７、６０８）。なお、ここでは、第１属性情報に応じて背景色を変え、第２属性情報の項目の背景色を更に変え、また、第２属性情報が特異なものをフォント・文字太さを変えて表示しているが、本発明はこれに限定されない。他のデータと識別可能であれば、どのような表示態様にしてもかまわない。例えば、背景色、文字太さ、文字色、及びフォントの少なくとも何れか１つを変えて表示すればよい。
【００１９】
ダイジェスト版は再生時間がオリジナル版より短くなっていることが推測でき、このように、再生時間を比較条件とすることで、ダイジェスト版のファイルを発見しやすくなる。合わせてキーとなる属性情報であるファイル名ごとに、背景の表示形態も変えることでより見やすいリストとしている。このように表示を強調することで、ユーザが所望のデータを容易に見付けることを可能にしている。
【００２０】
リスト表示時に比較条件とする属性情報を複数選択された場合には、図７のようにリスト表示することもできる。再生時間７０３と合わせて作成者７０６も比較条件とすることで、所望のファイルをより明確に検出することを可能とする。
【００２１】
また、比較条件となる属性情報において、各データが複数のグループに分類できる場合には、それらのグループごとに表示形態を変化させてもよい。比較条件となる属性情報を再生時間（１１０２）とした場合の具体的な例を図１１に示す。図１１では、再生時間の各値、及び背景の表示形態を区別している。
【００２２】
また、キーとなる第１属性情報以外の全属性情報の値が他のデータと異なる場合に、そのデータを独立したデータとして背景の表示形態を変更してもよい。キーとなる属性情報をファイル名とした場合の具体例を図１２に示す。データ１２０７は、キーとなる属性情報であるファイル名１２０１が「○○旅行−１日目−．ｍｐｇ」である他の３つのデータと、キー以外の属性情報（サムネイル１２０２、再生時間１２０３、サイズ１２０４、作成日時１２０５、作成者１２０６）が全て異なる。このため、比較条件となる属性情報を選択しない状態においても区別して表示することで、ユーザにより明確な違いを提示する。また、キーとなる属性情報以外の属性情報の値が他のデータと異なる割合をチェックし、あらかじめ設定した割合を上回る場合には、そのデータを独立したデータと判定し、背景の表示形態を変更させるようにしても良い。
【００２３】
本実施の形態における処理のフローを図９に示す。図３の画面にてユーザから表示条件が入力されると、まずキーとなる属性情報、及び比較条件となる属性情報が何かを識別する（Ｓ９０１）。そして、キーとなる属性情報の値が同一であるデータを抽出し、更に、比較条件として選択された属性情報の各値を抽出し、集計して分類する（Ｓ９０２）。図１０に分類語の集計リストの例を示す。１００１は選択された比較条件としての属性情報（本例では再生時間）の各値、１００２が１００１の値を持つそれぞれのデータの数である。
【００２４】
図９に戻ると、次のステップとして、相違点の数に応じた表示形式を決定する（Ｓ９０３）。例えば、図１０の１００２に示される値が１、つまり選択された属性情報が他のデータと１つだけ異なる値を持つ場合には、強調表示することを決定する。また、図１０の１００２に示される値が３、つまり第２属性情報が同じデータが３つ存在する場合には、強調表示しないことを決定する。強調表示を行うポリシーとしては、キーとなる属性情報が同一であるデータの数に対して、予め決めた割合以下のデータについては強調表示を行う。例えば、強調表示を行う割合を２割と設定したとすると、キーとなる属性情報が同一であるデータが１０個存在するのであれば、比較条件となる属性情報が同一であるデータが２個以下の場合には、そのデータについて強調表示を行う。なお、ここでは割合を用いたが、第２属性情報が同じデータが予め決めた数以下（例えば２つ以下）の場合に、そのデータを強調表示するように決定してもよい。
【００２５】
強調表示を行なうべきデータを決定すると、次に、キーとなる属性情報でソートを行った上で、決定した表示形式でリストを表示する（Ｓ９０４）。なお、表示条件をユーザに入力させるタイミングとしては、データ表示要求時、事前設定、図５に示すリストの表示時等さまざまなパターンが考えられる。
【００２６】
（他の実施形態）
以上、本発明の実施形態について詳述したが、本発明は、複数の機器から構成されるシステムに適用しても良いし、また、一つの機器からなる装置に適用しても良い。また上記の実施形態では情報処理装置として説明したが、具体的には、パーソナルコンピュータ、ワードプロセッサなど、データをリスト表示するあらゆる装置に本発明を適用可能である。
【００２７】
なお、本発明は、前述した実施形態の機能を実現するデータ表示プログラムを、システム或いは装置に直接或いは遠隔から供給し、そのシステム或いは装置が、供給されたプログラムコードを読み出して実行することによっても達成される。したがって、本発明の機能処理をコンピュータで実現するために、コンピュータにインストールされるプログラムコード自体も本発明の技術的範囲に含まれる。
【００２８】
その場合、データ表示プログラムの機能を有していれば、オブジェクトコード、インタプリタにより実行されるプログラム、ＯＳに供給するスクリプトデータ等、プログラムの形態を問わない。
【００２９】
データ表示プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３０】
その他、クライアントＰＣのブラウザを用いてインターネットサイトに接続し、本発明に係るデータ表示プログラムそのもの、若しくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。  また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３１】
また、プログラムの指示に基づき、コンピュータ上で稼動しているＯＳなどが、実際の処理の一部又は全部を行ない、その処理によっても前述した実施形態の機能が実現され得る。
【００３２】
さらに、ＰＣの機能拡張ユニットに備わるメモリに本発明に係るプログラムが書き込まれ、そのプログラムに基づき、その機能拡張ユニットに備わるＣＰＵなどが実際の処理の一部又は全部を行なう場合も、本発明の範疇に含まれる。
【図面の簡単な説明】
【００３３】
【図１】本発明を実施する情報処理装置の機能的構成を示す図である。
【図２】本発明を実施する情報処理装置のハードウェア構成を示すブロック図である。
【図３】属性情報を選択する画面を示す図である。
【図４】データ格納部に格納するデータを示す図である。
【図５】本発明を実施しない場合のリストを示す図である。
【図６】再生時間を強調したリストを示す図である。
【図７】再生時間及び作成者を強調したリストを示す図である。
【図８】属性情報のリストを示す図である。
【図９】データ表示を行うフローチャートを示す図である。
【図１０】属性情報の相違点の集計リストを示す図である。
【図１１】比較条件となる属性情報がグループに分類できる場合のリストを示す図である。
【図１２】キーとなる属性情報以外の全属性情報の値が他のデータと異なる場合のリストを示す図である。
【符号の説明】
【００３４】
１０１  条件入力部
１０２  データ処理部
１０３  データ格納部
１０４  リスト表示部
２０１  中央処理装置
２０２  主記憶装置
２０３  表示装置
２０４  入力装置
２０５  外部記憶装置
【図１】
2008299816.tif 000003
【図２】
2008299816.tif 000004
【図３】
2008299816.tif 000005
【図４】
2008299816.tif 000006
【図５】
2008299816.tif 000007
【図８】
2008299816.tif 000008
【図９】
2008299816.tif 000009
【図１０】
2008299816.tif 000010
【図６】
2008299816.tif 000011
【図７】
2008299816.tif 000012
【図１１】
2008299816.tif 000013
【図１２】
2008299816.tif 000014